(57)【要約】【課題】コストの低減および収益性の向上に繋がる構成を有する緩み止めワッシャーを提供する。【解決手段】ベース１０と、円盤状リング２０とを有し、前記ベース１０は、第一側面１１と、該第一側面１１と反対する側に位置する第二側面１２と、該第一側面１１及び第二側面１２を貫通する貫通穴１３と、該第二側面１２に形成される複数のプレス穴１４と、該第一側面１１に形成される、それぞれ該複数のプレス穴１４に対応する複数の突出柱１５とを有し、前記円盤状リング２０は、前記ベース１０の第一側面１１に設けられ、前記貫通穴１３に対応する連通穴２１と、外辺縁２２と、該連通穴２１に面する内辺縁２３とを有し、前記複数の突出柱１５は、該円盤状リング２０の外辺縁２２の近傍に位置し、該円盤状リング２０を保持する位置決め部１６を有することを特徴とする。【選択図】図１
0003189565.tif 000002
【実用新案登録請求の範囲】
【請求項１】
ベースと、円盤状リングとを有し、
前記ベースは、第一側面と、該第一側面と反対する側に位置する第二側面と、該第一側面及び第二側面を貫通する貫通穴と、該第二側面に形成される複数のプレス穴と、該第一側面に形成される、それぞれ該複数のプレス穴に対応する複数の突出柱とを有し、
前記円盤状リングは、前記ベースの第一側面に設けられ、前記貫通穴に対応する連通穴と、外辺縁と、該連通穴に面する内辺縁とを有し、
前記複数の突出柱は、該円盤状リングの外辺縁の近傍に位置し、該円盤状リングを保持する位置決め部を有することを特徴とする緩み止めワッシャー。
【請求項２】
前記円盤状リングの内辺縁から前記ベースの第一側面までの距離は、該円盤状リングの外辺縁から該ベースの第一側面までの距離より大きいことを特徴とする請求項１に記載の緩み止めワッシャー。
【請求項３】
前記円盤状リングの内辺縁から前記ベースの第一側面までの距離は、前記位置決め部の先端から該ベースの第一側面までの距離より大きく、
前記位置決め部の先端から該ベースの第一側面までの距離は、該円盤状リングの外辺縁から該ベースの第一側面までの距離より大きいことを特徴とする請求項１または請求項２に記載の緩み止めワッシャー。
【考案の詳細な説明】
【技術分野】
【０００１】
本考案は、特に低コストの緩み止めワッシャーに関するものである。
【背景技術】
【０００２】
例えば、図３、図４に示す従来の緩み止めワッシャーは、ベース９０及びリングバネ９１を有し、その内、ベース９０は、貫通穴９２と、該貫通穴９２に連通される複数のプレス穴９３とを有し、該リングバネ９１は前記ベース９０に設けられ、該貫通穴９２に連通される連通穴９４と、該リングバネ９１を保持する結合部９５とを備え、該結合部９５は、ベース９０のプレス穴９３に対応する箇所に位置する湾曲状板部材であり、特殊機器によってプレス成形されるものである。
【０００３】
しかしながら、上述した通り、前記従来の緩み止めワッシャーは、該リングバネ９１を保持する手段として用いられる湾曲状の結合部９５、及び該貫通穴９２に連通される複数のプレス穴９３を有する構成を形成させるために、高価な特殊機器を使用する必要があることから、コストが著しく増大してしまうので、収益性に優れなかった。
【０００４】
そこで、案出されたのが本考案であって、従来の緩み止めワッシャーにおける構造の理由から、高価な特殊機器を使用しなければならなかった問題を解決するための緩み止めワッシャーを提供することを目的としている。
【考案の概要】
【課題を解決するための手段】
【０００５】
本願の請求項１の考案は、ベースと、円盤状リングとを有し、
前記ベースは、第一側面と、該第一側面と反対する側に位置する第二側面と、該第一側面及び第二側面を貫通する貫通穴と、該第二側面に形成される複数のプレス穴と、該第一側面に形成される、それぞれ該複数のプレス穴に対応する複数の突出柱とを有し、
前記円盤状リングは、前記ベースの第一側面に設けられ、前記貫通穴に対応する連通穴と、外辺縁と、該連通穴に面する内辺縁とを有し、
前記複数の突出柱は、該円盤状リングの外辺縁の近傍に位置し、該円盤状リングを保持する位置決め部を有することを特徴とする緩み止めワッシャー、を提供する。
【０００６】
本願の請求項２の考案は、前記円盤状リングの内辺縁から前記ベースの第一側面までの距離は、該円盤状リングの外辺縁から該ベースの第一側面までの距離より大きいことを特徴とする請求項１に記載の緩み止めワッシャー、を提供する。
【０００７】
本願の請求項３の考案は、前記円盤状リングの内辺縁から前記ベースの第一側面までの距離は、前記位置決め部の先端から該ベースの第一側面までの距離より大きく、
前記位置決め部の先端から該ベースの第一側面までの距離は、該円盤状リングの外辺縁から該ベースの第一側面までの距離より大きいことを特徴とする請求項１または請求項２に記載の緩み止めワッシャー、を提供する。
【考案の効果】
【０００８】
本考案は上記の課題を解決するものであり、本考案に係る緩み止めワッシャーにおける円盤状リング、ベースにプレス成形されると共に、該円盤状リングの外辺縁の近傍に位置する突出柱、及び該円盤状リングを保持する位置決め部が、特に高価でない普通のプレス機器を用いてもプレス成形することができるので、コストを低減させ、収益性を向上させることができる。
【図面の簡単な説明】
【０００９】
【図１】本考案に係る緩み止めワッシャーの実施形態を示す斜視図である。
【図２】本考案に係る緩み止めワッシャーの実施形態を示す側面断面図である。
【図３】従来の緩み止めワッシャーの斜視図である。
【図４】従来の緩み止めワッシャーの側面断面図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１及び図２に示すように、本考案に係る緩み止めワッシャーの実施形態は、ベース１０と、円盤状リング２０とを有し、その内、ベース１０は、第一側面１１と、該第一側面１１と反対する側に位置する第二側面１２と、該第一側面１１及び第二側面１２を貫通する貫通穴１３と、該第二側面１２に形成される複数のプレス穴１４と、該第一側面１１に形成される、それぞれ該複数のプレス穴１４に対応する複数の突出柱１５とを有する。前記円盤状リング２０は、前記ベース１０の第一側面１１に設けられ、前記貫通穴１３に対応する連通穴２１と、外辺縁２２と、前記連通穴２１に面する内辺縁２３とを有し、該複数の突出柱１５は、該円盤状リング２０の外辺縁２２の近傍に位置し、該円盤状リング２０を保持する位置決め部１６を有する。
【００１２】
前記円盤状リング２０の内辺縁２３から前記ベース１０の第一側面１１までの距離は、前記位置決め部１６の先端から該ベース１０の第一側面１１までの距離より大きく、また、前記位置決め部１６の先端から該ベース１０の第一側面１１までの距離は、該円盤状リング２０の外辺縁２２から該ベース１０の第一側面１１までの距離より大きい。
【００１３】
本考案に係る緩み止めワッシャーを製造する時は、先ず互いに結合されていないベース１０と円盤状リング２０とを普通のプレス機器に設置し、該プレス機器を用いて、前記プレス穴１４、および突出柱１５を前記ベース１０にプレス成形してから、該突出柱１５に位置決め部１６をプレス成形する。
【００１４】
上述した通り、本考案に係る緩み止めワッシャーは、普通のプレス機器により製造することができ、この緩み止めワッシャーにおける前記円盤状リング２０を有する構成によれば、前記円盤状リング２０に隣接する突出柱１５の位置決め部１６により円盤状リング２０を保持する。また、前記円盤状リング２０の外辺縁２２から該ベース１０の第一側面１１までの距離は、該円盤状リング２０の内辺縁２３から前記ベース１０の第一側面１１までの距離より小さいので、小型の突出柱１５およびその位置決め部１６によれば、充分に該円盤状リング２０の外辺縁２２を保持してしっかりと位置決めすることができる。このように、本考案に係る緩み止めワッシャーの工程は、高価な特殊機器を必要としないことから、低コスト化や収益性の向上に繋がる。
【産業上の利用可能性】
【００１５】
本考案に係る緩み止めワッシャーは上記の構成を有するので、従来の緩み止めワッシャーにおける、構造上高価な特殊機器の使用が免れないことによるコスト増大を解決するための緩み止めワッシャーを提供し、その円盤状リング、ベースがプレス成形されると共に、該円盤状リングの外辺縁の近傍に位置する突出柱、及び該円盤状リングを保持する位置決め部が、特に高価でない普通の機器を用いてもプレス成形できることから、コストを低減させ、収益性を向上させることができる。
【符号の説明】
【００１６】
１０   ベース
１１   第一側面
１２   第二側面
１３   貫通穴
１４   プレス穴
１５   突出柱
１６   位置決め部
２０   円盤状リング
２１   連通穴
２２   外辺縁
２３   内辺縁
【図１】
0003189565.tif 000003
【図２】
0003189565.tif 000004
【図３】
0003189565.tif 000005
【図４】
0003189565.tif 000006